【事件の表示】
　特願２０１７−５３１４７９「クロマトグラフィ用の溶液を調製するためのシステム」拒絶査定不服審判事件〔平成２８年　６月１６日国際公開、ＷＯ２０１６／０９２０２３、平成３０年　２月　８日国内公表、特表２０１８−５０３８０９〕について、次のとおり審決する。
【結　論】
　本件審判の請求は、成り立たない。
【理　由】
第１　手続の経緯
　本願は、２０１５年（平成２７年）１２月１０日（パリ条約による優先権主張　２０１４年１２月１２日　 英国）を国際出願日とする出願であって、令和元年９月２日付けで拒絶理由が通知され、同年１２月１０日付けで意見書及び手続補正書が提出され、令和２年２月７日付けで拒絶査定されたところ、同年６月１５日に拒絶査定不服審判の請求がなされ、同時に手続補正がなされたものである。
第２　令和２年６月１５日にされた手続補正についての補正の却下の決定
［補正の却下の決定の結論］
　令和２年６月１５日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所である。）
「液体のインラインブレンドを実行するためのシステム（１００、２００）であって、
　少なくとも１つの第１の溶液と第２の溶液とを混合することによって緩衝液を調製するＴジョイント（１０２）であって、前記Ｔジョイントに接続された溶液供給ユニット（１０８）から前記第２の溶液を受け取
り、（ｉ）逆止弁を介して、かつ、（ｉｉ）少なくとも１つの直接接続管を用いて、前記溶液供給ユニットに接続され
　前記少なくとも１つの第１の溶液を前記Ｔジョイントに供給するための少なくとも１つの低圧ポンプ（１０６、２０８、２１０、２１２）と、
　前記緩衝液を集め、クロマトグラフィ装置にもたらすための高圧ポンプ（１１０）と
　を備え、
　前記Ｔジョイントは、前記第１の溶液と前記第２の溶液とを混合するための構成を備えることを特徴とする、システム。」
（２）本件補正前の特許請求の範囲
　本件補正前の、令和元年１２月１０日にされた手続補正により補正された特許請求の範囲の請求項１の記載は次のとおりである。
「液体のインラインブレンドを実行するためのシステム（１００、２００）であって、
　少なくとも１つの第１の溶液と第２の溶液とを混合することによって緩衝液を調製するＴジョイント（１０２）であって、前記Ｔジョイントに接続された溶液供給ユニット（１０８）から前記第２の溶液を受け取るＴジョイント（１０２）と、
　前記少なくとも１つの第１の溶液を前記Ｔジョイントに供給するための少なくとも１つの低圧ポンプ（１０６、２０８、２１０、２１２）と、
　前記緩衝液を集め、クロマトグラフィ装置にもたらすための高圧ポンプ（１１０）と
　を備え、
　前記Ｔジョイントは、前記第１の溶液と前記第２の溶液とを混合するための構成を備えることを特徴とする、システム。」
２　補正の適否
　本件補正は、本件補正前の請求項１に記載された発明を特定するために必要な事項である「Ｔジョイント（１０２）」の内容について、「（ｉ）逆止弁を介して、かつ、（ｉｉ）少なくとも１つの直接接続管を用いて、前記溶液供給ユニットに接続される」という限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）判断
　本件補正によって付加された「（ｉ）逆止弁を介して、かつ、（ｉｉ）少なくとも１つの直接接続管を用いて、前記溶液供給ユニットに接続されるＴジョイント（１０２）」という記載の明確性について検討する。
　「前記溶液供給ユニット」が指すものについて、上記の記載の前には「少なくとも１つの第１の溶液と第２の溶液とを混合することによって緩衝液を調製するＴジョイント（１０２）であって、前記Ｔジョイントに接続された溶液供給ユニット（１０８）から前記第２の溶液を受け取り、」とあるから、「前記溶液供給ユニット」とは「第２の溶液」を供給する「溶液供給ユニット（１０８）」という一つの「溶液供給ユニット」を指すと認められる。
　そうすると、本件補正発明の「（ｉ）逆止弁を介して、かつ、（ｉｉ）少なくとも１つの直接接続管を用いて、前記溶液供給ユニットに接続されるＴジョイント（１０２）」という記載は、「溶液供給ユニット（１０８）」と「Ｔジョイント（１０２）」とが、「（ｉ）逆止弁を介して、かつ、（ｉｉ）少なくとも１つの直接接続管を用いて」「接続される」ということを指すといえる。
　しかし、「直接接続管を用いて」「接続される」という記載は、接続される二つの部材の間に当該「直接接続管」以外の部材、すなわちポンプや逆止弁が存在しないことを指すと解されるから、「（ｉ）逆止弁を介して」という記載が指す構成と「（ｉｉ）少なくとも１つの直接接続管を用いて」という記載が指す構成は両立しえないものである。
　そうすると、本件補正発明の「（ｉ）逆止弁を介して、かつ、（ｉｉ）少なくとも１つの直接接続管を用いて、前記溶液供給ユニットに接続されるＴジョイント（１０２）」という記載は、「溶液供給ユニット（１０８）」と「Ｔジョイント（１０２）」がどのように接続されるかについて明確でない。
　したがって、本件補正発明は、特許法第３６条第６項第２号に規定する要件を満たしておらず、特許を受けることができない。
３　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　令和２年６月１５日にされた手続補正は、上記のとおり却下されたので、本願の請求項に係る発明は、令和元年１２月１０日にされた手続補正により補正された特許請求の範囲の請求項１〜１９に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１に係る発明は、本願の優先権主張の日前に頒布された又は電気通信回線を通じて公衆に利用可能となった下記の引用文献１に記載された発明及び引用文献２に記載された周知技術に基いて、その優先日前にその発明の属する技術の分野における通常の知識を有する者が容易に発明をすることができたものであるから、特許法第２９条第２項の規定により特許を受けることができない、また、この出願の請求項１に係る発明は、本願の優先権主張の日前に頒布された又は電気通信回線を通じて公衆に利用可能となった下記の引用文献３に記載された発明並びに引用文献１に記載された事項及び引用文献２に記載された周知技術に基いて、その優先日前にその発明の属する技術の分野における通常の知識を有する者が容易に発明をすることができたものであるから、特許法第２９条第２項の規定により特許を受けることができない、という理由を含むものである。
引用文献１：米国特許第４３１１５８６号明細書
引用文献２：特表２０１３−５０６１２８号公報（周知技術を示す文献）
引用文献３：特開昭６０−１４３７６０号公報
３　引用文献の記載事項
（１）引用文献１
ア　引用文献１の記載事項
　引用文献１には、図面とともに次の記載がある（和訳は当審にて作成した。また、下線は当審にて付した。）。
（引１ａ）
（ABSTRACT（要約））
「A liquid chromatograph for HPLC utilizes low pressure solvent metering pumps for solvent mixing in series with a high pressure pump driving the column. Solvent mixture is provided at a flow based upon the intake demand of the high pressure pump.・・・」
（和訳）
「
HPLC用の液体クロマトグラフは、カラムを駆動する高圧ポンプと直列に、溶媒混合のための低圧溶媒計量ポンプを使用している。
（引１ｂ）
（第８欄第１３−４２行）
「Referring to FIG. 1 of the drawings, there is functionally diagrammed a liquid chromatograph system improved in accordance with the present invention. The chromatograph system includes a column 10 for receiving a constant rate flow of solvent mixture. The output of column 10 is delivered to detector 12, with liquid passing through detector 12 being released to waste receptacle 14. Column 10 is supplied with a solvent mixture and driven by HPLC pump 20. The liquid chromatograph diagrammed is suitable for providing a solvent mixture by inclusion of solvent mixing apparatus 30 capable of mixing the three different solvents which are available. The three solvents are designated A, B and C; and are available from containers 40, 50 and 60, respectively. The composition and total flow rate of solvent mixture provided by solvent mixing apparatus 30 are established by controller 70.
 A detector cell 80 is disposed in the solvent mixture flow path between solvent mixing apparatus 30 and HPLC pump 20. Detector cell 80 produces an output signal indicative of the relative flow rates at which solvent mixture is being provided by solvent mixing apparatus 30 and being demanded by HPLC pump 20. The detector cell output indication is applied to electrical control circuit 90 which produces a control input to controller 70 effective to cause controller 70 to change the total flow rate at which solvent mixture is being provided from solvent mixing apparatus 30 so as to supply the demands of HPLC pump 20.
 HPLC pump 20 is a high pressure reciprocating pump.」
（和訳）
「図面の図1を参照すると、本発明による改善された
液体クロマトグラフシステム
クロマトグラフシステムは、溶媒混合物の一定の流量の流れを受けるためのカラム10を含む。
カラム10には溶媒混合物が供給され、HPLCポンプ20によって駆動される。
液体クロマトグラフは、利用可能な3種の異なる溶媒を混合することのできる溶媒混合装置30を含むため、溶媒混合物を提供するのに適している。3種類の溶媒A、BおよびCは、それぞれ容器40、50および60から得られる。
　
溶媒混合装置30およびHPLCポンプ20の間の溶媒混合物の流路には検出器セル80が配置される。検出器セル80は、溶媒混合装置30によって提供され、HPLCポンプ20により要求されている溶媒混合物の相対的な流量を示す出力信号を生成する。
　
HPLCポンプ20は、高圧往復ポンプである。
（引１ｃ）
（第９欄第２４−４９行）
「Returning now to FIG. 1, solvent mixing apparatus 30 includes three solvent metering pumps identified as metering pump A, metering pump B and metering pump C, with the alphabetic designation corresponding to the particular solvent that flows through the pump. Each metering pump is identical and is indicated to include a stepper motor mechanically coupled to a reciprocating piston. Each pump further includes intake and discharge flow line check valves. Each metering pump provides a flow of its respective solvent at a rate dependent upon its speed.
 The solvent flow from each metering pump is directed into a means for combining the individual solvent flows into a solvent mixture of a total flow approximately equal to the sum of the individual solvent flows. As shown in FIG. 1, the solvent combing means 32 may suitably be a flow line X connector fitting having first, second and third flow line legs designated by the reference numerals 34, 36 and 38, respectively, and a single output flow line 39. If only two solvents are required to be mixed, only two metering pumps would be necessary and the solvent flow combining means could be implemented with a T flow line connector fitting. A mixing chamber may be substituted for flow line connector fitting 32 to provide an equivalent means for performing the function.」
（和訳）
「図1を参照すると、
混合装置30は、計量ポンプA、計量ポンプB、計量ポンプCとして識別される３つの溶剤計量ポンプを含み、
各ポンプは、吸気および排出流路の逆止弁を有する。
　
各計量ポンプからの溶媒の流れは、個々の溶媒流れを個々の溶媒の流量の合計にほぼ等しい合計流量の溶媒混合物に合流させるための手段に向けられる。
2種のみの溶媒を混合することが要求される場合、2つのみの計量ポンプが必要になり、溶媒流結合手段は“Ｔ”流路コネクタ継手で実現することができる。混合チャンバが、流路コネクタ継手32の代わりに、その機能を実行するための同等の手段を提供することができる。
（引１ｄ）
（第１１欄第４１−４５行）
「Suitably, detector cell 80 is an electrical measurement device for measuring an electrical property of the solvent mixture that varies as a function of volume amount. Preferably, detector cell 80 is an electrical admittance measurement device.」
（和訳）
「好適には、
検出器セル80は、体積量の関数として変化する溶媒混合液の電気的特性を測定するための電気測定装置である。
（引１ｅ）
図１
イ　引用発明１
（ア）（引１ａ）の「HPLC用の液体クロマトグラフは、カラムを駆動する高圧ポンプと直列に、溶媒混合のための低圧溶媒計量ポンプを使用している。」という記載に鑑みれば、（引１ｃ）に記載の「計量ポンプ」は、低圧ポンプであると認められる。
（イ）（引１ｃ）には「2種のみの溶媒を混合することが要求される場合」について記載されているところ、その場合、（引１ｂ）に記載の「3種の異なる溶媒を混合することのできる溶媒混合装置30」という構成は、「２種の異なる溶媒を混合することのできる溶媒混合装置30」という構成となり、また、「3種類の溶媒A、BおよびC」を供給する「容器40、50および60」は、「２種類の溶媒」を供給する「容器」となるといえる。
（ウ）上記（ア），（イ）を踏まえると、上記引用文献１には、以下の発明（以下「引用発明１」という。）が記載されていると認められる。
「液体クロマトグラフシステムであって、
　溶媒混合物の流れを受けるためのカラム10と、
　カラム10に溶媒混合物を供給する高圧往復ポンプであるHPLCポンプ20と、
　２種の異なる溶媒を混合することのできる溶媒混合装置30と、
　２種の溶媒を供給する容器と、
　溶媒混合装置30およびHPLCポンプ20の間の溶媒混合物の流路に配置される検出器セル80と、
　を含み、
　溶媒混合装置30は、吸気および排出流路の逆止弁を有する低圧ポンプである２つの計量ポンプと、各計量ポンプからの溶媒の流れを合流させるための“Ｔ”流路コネクタ継手32とを含み、混合チャンバが流路コネクタ継手32の代わりにその機能を実行するための同等の手段を提供することができる、
　液体クロマトグラフシステム。」
（２）引用文献２
ア　引用文献２
　引用文献２には、次の記載がある（下線は当審にて付した。）。
「【０００４】
　
液体の組成が極めて重要となる用途のひとつが、液体クロマトグラフィー分野での用途であり、特定のｐＨと（任意で）特定のイオン強度を有する緩衝液を用いる場合、溶離液のｐＨ及びイオン強度は、イオン交換樹脂等におけるクロマトグラフィーのタンパク質分離の選択性を制御する２つの最も重要なパラメータとなる。
・・・
【００３６】
　導管２６には、異なる所望の液体の特性を検知するための、第１及び第２のインラインセンサのセットが配置され、第１のセンサセットはＴ分岐２９の上流に、第２のセンサセットはＴ分岐２９の下流に設けられている。図示の場合は、第１及び第２のセンサセットがそれぞれ、３機のセンサ３７〜３９及びセンサ４０〜４２を備えている。例えば、センサ３７及び４０が導電率センサで、センサ３８及び４１がＵＶ（又は近赤外）センサで、センサ３９及び４２がｐＨセンサであってもよい。
・・・
【００３８】
　
配合原料を別々の入口１〜４（及び１７）から供給すると、入口１及び２からの原料流が、まずＴ分岐２４を経て混合され、次に導管２３内の混合液体流は、入口３から到来する導管２５内の原料流とＴ分岐２７で混合される。最終的に、導管２６内で得られた混合液体流は、入口４から到来した導管２８内の原料流とＴ分岐２９で混合され、出口４３において、所望の液体混合物（例えば緩衝液）が得られる。
・・・
【００４４】
　上記のように、緩衝液は（ｉ）弱酸及び弱塩基から、或いは（ｉｉ）弱酸と強塩基、又は弱塩基と強酸から調製可能である。好ましくは、緩衝液の成分特性は、適合範囲内の２つの異なる濃度で同じ値を示してはならない。」
イ　引用文献２の【０００４】には、液体クロマトグラフィ分野において緩衝液を用いる点が記載されている。また【０００４】には「特定のｐＨと（任意で）特定のイオン強度を有する緩衝液を用いる場合、溶離液のｐＨ及びイオン強度は、イオン交換樹脂等におけるクロマトグラフィーのタンパク質分離の選択性を制御する２つの最も重要なパラメータとなる。」と記載されており、緩衝液は液体クロマトグラフィ分野における、分析対象の試料を溶解する溶媒（溶離液）として用いられるといえる。
ウ　引用文献２の【００３８】には、「緩衝液」を複数の液体を混合して得ることが記載されている。また、引用文献２の【００４４】の「緩衝液は（ｉ）弱酸及び弱塩基から、或いは（ｉｉ）弱酸と強塩基、又は弱塩基と強酸から調製可能」という記載について、液体の酸や塩基は一般に、溶質が溶媒に溶解してなる「溶液」であるといえる。そうすると、上記【００３８】における「複数の液体」とは「複数の溶液」であるといえる。
エ　引用文献２の記載事項
　上記イ，ウを踏まえると、引用文献２の記載から、「複数の溶液を混合して緩衝液を得て、これを液体クロマトグラフィにおける溶媒として用いること」は、本願の優先権主張の日前に周知の事項であったと認められる。
（３）引用文献３
ア　引用文献３の記載事項
　引用文献３には、図面とともに次の記載がある（下線は当審にて付した。）。
（引３ａ）
（第１頁左下欄第１９行−右下欄第５行）
「（イ）産業上の利用分野
　
この発明は液体クロマトグラフ用グラジェント装置に関し、詳しくは定容量型の主送液ポンプと可変容量型の補助送液ポンプとを備えた液体クロマトグラフ用グラジェント装置に関するものである。
（引３ｂ）
（第２頁右上欄第２０行−右下欄第１３行）
「第２図に液体クロマトグラフ用グラジェント装置（１４）の全体構成を示す。なお、従来と同一構成部分については同一番号を付して説明を省略する。
　（１５）（１６）は試料注入部及び検出器である。
　
（１７）は２つの溶媒合流路としての移動相送液路（１）の混合室（４）の前段に介設した定容量型の主送液ポンプであり、（１８）は２つの溶媒Ａ液（７）及びＢ液（添加液）（８）のうちＢ液供給路（送液路）（２）に介設した可変容量型のＢ液送液ポンプである。
　
このポンプは、その最大吐出容量が主送液ポンプ（１７）のそれと同等で、
低圧吐出し型のポンプからなる。一方主送液ポンプ（１７）は吐出し圧力が例えば５００ｋｇ／ｃｍ２に耐え得る高圧吐出し型のポンプである。
　（１９）はＢ液送液ポンプ（１８）に電気的に接続され、その吐出し量を予めプログラムしておいた量に制御する制御部としてのコントローラである。
　次に以上の液体クロマトグラフ用グラジェント装置（１４）の作動について説明する。
　まず、
主送液ポンプ（１７）、Ｂ液送液ポンプ（１８）及びコントローラ（１９）を作動させて、Ａ液（７）が送液されているＡ液送液路（３）内に連続的にＢ液（６）を注入していく。
Ａ、Ｂ両液（６）（７）からなる一定流量の溶媒混合液（移動相）は、さらに混合室（４）で均一に混合された後、分離カラム（５）に圧送される。
（引３ｃ）
第２図
イ　引用発明３
（ア）（引３ｃ）第２図から、以下のことが見てとれる。
ａ　Ａ液（７）及びＢ液（８）は、それぞれ容器に入れられていること。
ｂ　Ｂ液送液路（２）とＡ液送液路（３）は、主送液ポンプ（１７）よりも上流側、すなわちＢ液（６）、Ａ液（７）の容器側、にて合流していること。
（イ）上記（ア）を踏まえると、上記引用文献３には、以下の発明（以下「引用発明３」という。）が記載されていると認められる。
「容器に入ったＡ液（７）及びＢ液（６）と、
　低圧ポンプであるＢ液送液ポンプ（１８）と、
　高圧ポンプである主送液ポンプ（１７）と、
　主送液ポンプ（１７）の上流側で合流するＡ液送液路（３）及びＢ液送液路（２）と、
　Ａ、Ｂ両液（６）（７）からなる溶媒混合液（移動相）をさらに混合する混合室（４）と、
　分離カラム（５）と、
　を有する液体クロマトグラフ用グラジェント装置（１４）。」
４　対比・判断
（１）引用発明１を主たる引例とした場合について
ア　対比
（ア）本願発明の「液体のインラインブレンドを実行するためのシステム」は、「クロマトグラフィ装置」で用いる液体のためのシステムである。そして、引用発明１の「液体クロマトグラフシステム」は「溶媒混合装置30」を含み、溶媒を混合するものであるから、本願発明の「液体のインラインブレンドを実行するためのシステム」に相当する。
（イ）本願発明の「少なくとも１つの第１の溶液と第２の溶液とを混合することによって緩衝液を調製する」ことと、引用発明１の「２種の異なる溶媒を混合する」こととは、「第１の液体と第２の液体を混合して混合液を調製する」という点で共通する。
（ウ）引用発明１の「各計量ポンプからの溶媒の流れを合流させるための“Ｔ”流路コネクタ継手32」は、本願発明の「Ｔジョイント」に相当する。
（エ）引用発明１の「容器」は、「溶媒」を「溶媒混合装置30」に供給するものである。また、該「容器」は「各計量ポンプからの溶媒の流れを合流させるための“Ｔ”流路コネクタ継手32」と流路がつながっているという意味で接続されている。そのため、引用発明１の「容器」は本願発明の「Ｔジョイントに接続された溶液供給ユニット」に相当し、また、「“Ｔ”流路コネクタ継手32」は「容器」から「第２の液体」を受け取るものである。
（オ）引用発明１の「低圧ポンプである」「計量ポンプ」は、本願発明の「低圧ポンプ」に相当する。また、「“Ｔ”流路コネクタ継手32」は該「計量ポンプ」からの溶媒の流れを合流させるためのものであるから、本願発明の「少なくとも１つの第１の溶液を前記Ｔジョイントに供給するための少なくとも１つの低圧ポンプ」と引用発明１の「低圧ポンプである」「計量ポンプ」は、「第１の液体をＴジョイントに供給するための少なくとも１つの低圧ポンプ」であるという点で共通する。
（カ）引用発明１の「カラム10に溶媒混合物を供給する高圧往復ポンプであるHPLCポンプ20」について、「カラム10」はクロマトグラフィ装置をなすものであり、また、「溶媒混合物」を「カラム10」に供給する上で「溶媒混合物」は集められているといえる。よって、本願発明の「前記緩衝液を集め、クロマトグラフィ装置にもたらすための高圧ポンプ」と引用発明１の「カラム10に溶媒混合物を供給する高圧往復ポンプであるHPLCポンプ20」は、「前記混合液を集め、クロマトグラフィ装置にもたらすための高圧ポンプ」という点で共通する。
（キ）引用発明１の「“Ｔ”流路コネクタ継手32」は２つの「計量ポンプ」からの「溶媒」の流れを合流させるためのものであり、また、「混合チャンバ」が同等の機能を実行することができるものであるから、２つの「計量ポンプ」からの「溶媒」を「混合するための構成」を備えているといえる。よって、本願発明の「Ｔジョイントは、前記第１の溶液と前記第２の溶液とを混合するための構成を備える」という構成と、引用発明１の「“Ｔ”流路コネクタ継手32」とは、「Ｔジョイントは、前記第１の液体と前記第２の液体とを混合するための構成を備える」という点で共通する。
（ク）以上のことから、本願発明と引用発明１との一致点及び相違点は次のとおりである。
　【一致点】
「液体のインラインブレンドを実行するためのシステムであって、
　第１の液体と第２の液体とを混合することによって混合液を調製するＴジョイントであって、前記Ｔジョイントに接続された溶液供給ユニットから前記第２の液体を受け取るＴジョイントと、
　前記第１の液体を前記Ｔジョイントに供給するための少なくとも１つの低圧ポンプと、
　前記混合液を集め、クロマトグラフィ装置にもたらすための高圧ポンプと
　を備え、
　前記Ｔジョイントは、前記第１の液体と前記第２の液体とを混合するための構成を備えるシステム。」
　【相違点１】
　「第１の液体と第２の液体とを混合することによって混合液を調製する」という点に関し、本願発明は「第１の溶液と第２の溶液とを混合することによって緩衝液を調製する」のに対し、引用発明１は「２種の異なる溶媒」を混合して「溶媒混合物」を調製するものであるという点。
イ　判断
　上記相違点について検討する。
　複数の溶液を混合して緩衝液を得て、これを液体クロマトグラフィにおける溶媒として用いることは、上記「３」（２）「イ」にて述べたように、本願の優先権主張の日前に周知の事項である。
　そうすると、引用発明１において、２種の異なる溶媒を混合して溶媒混合物を調製するにあたり、複数の溶液を混合して緩衝液を調製するようにすることは、分析対象の試料やカラムの材質に応じて、当業者が容易に想到しうることである。そして、相違点を勘案しても、本願発明の奏する作用効果は、引用発明１及び本願の優先権主張の日前に周知の事項の奏する作用効果から予測される範囲内のものにすぎず、格別顕著なものということはできない。
　したがって、本願発明は、引用発明１、及び本願の優先権主張の日前に周知の事項に基づいて、当業者が容易に発明をすることができたものである。
（２）引用発明３を主たる引例とした場合について
ア　対比
（ア）本願発明の「液体のインラインブレンドを実行するためのシステム」は、「クロマトグラフィ装置」で用いる液体のためのシステムである。そして、引用発明３の「液体クロマトグラフ用グラジェント装置」は「Ａ液」及び「Ｂ液」を混合するものであるから、本願発明の「液体のインラインブレンドを実行するためのシステム」に相当する。
（イ）（引３ｂ）には「Ａ、Ｂ両液（６）（７）からなる一定流量の
溶媒混合液
さらに
　よって、引用発明３では「Ａ液」と「Ｂ液」を混合して「溶媒混合液」を調製しているところ、このことと本願発明の「少なくとも１つの第１の溶液と第２の溶液とを混合することによって緩衝液を調製する」こととは、「第１の液体と第２の液体を混合して混合液を調製する」という点で共通するといえる。
（ウ）引用発明３における「合流箇所」は、本願発明の「Ｔジョイント」と、「第１の液体と第２の液体を混合して混合液を調製する箇所」であるという点で共通する。
（エ）引用発明３の「容器」は、「Ａ液」を「合流箇所」を含む「Ａ液送液路」に供給するものである。また、該「容器」は「合流箇所」と接続されている。そのため、引用発明３の「容器」は「溶液供給ユニット」に相当し、また、「合流箇所」は「容器」から「Ａ液」を受け取るものである。
（オ）引用発明３の「低圧ポンプであるＢ液送液ポンプ」は、本願発明の「低圧ポンプ」に相当する。また、「合流箇所」は該「Ｂ液送液ポンプ」からの「Ｂ液」の流れが「Ａ液」と合流する箇所であるから、本願発明の「少なくとも１つの第１の溶液を前記Ｔジョイントに供給するための少なくとも１つの低圧ポンプ」と引用発明３の「低圧ポンプであるＢ液送液ポンプ」は、「第１の液体を合流箇所に供給するための少なくとも１つの低圧ポンプ」であるという点で共通する。
（カ）引用発明３の「高圧ポンプである主送液ポンプ」について、「主送液ポンプ」は「分離カラム」に「溶媒混合液」をもたらすところ、「分離カラム」はクロマトグラフィ装置をなすものであり、また、「溶媒混合液」を「分離カラム」に供給する上で「溶媒混合液」は集められているといえる。よって、本願発明の「前記緩衝液を集め、クロマトグラフィ装置にもたらすための高圧ポンプ」と引用発明３の「高圧ポンプである主送液ポンプ」は、「前記溶媒混合液を集め、クロマトグラフィ装置にもたらすための高圧ポンプ」という点で共通する。
（キ）引用発明３の「合流箇所」は「Ａ液」と「Ｂ液」の流れが合流する箇所であるから、「Ａ液」と「Ｂ液」を「混合するための構成」を備えているといえる。よって、本願発明の「Ｔジョイントは、前記第１の溶液と前記第２の溶液とを混合するための構成を備える」という構成と、引用発明３の「合流箇所」とは、「合流箇所は、前記第１の液体と前記第２の液体とを混合するための構成を備える」という点で共通する。
（ク）以上のことから、本願発明と引用発明３との一致点及び相違点は次のとおりである。
　【一致点】
「液体のインラインブレンドを実行するためのシステムであって、
　第１の液体と第２の液体とを混合することによって混合液を調製する合流箇所であって、前記合流箇所に接続された溶液供給ユニットから前記第２の液体を受け取る合流箇所と、
　前記第１の液体を前記合流箇所に供給するための少なくとも１つの低圧ポンプと、
　前記混合液を集め、クロマトグラフィ装置にもたらすための高圧ポンプと
　を備え、
　前記合流箇所は、前記第１の液体と前記第２の液体とを混合するための構成を備えるシステム。」
　【相違点２】
　「第１の液体と第２の液体とを混合することによって混合液を調製する」という点に関し、本願発明は「第１の溶液と第２の溶液とを混合することによって緩衝液を調製する」のに対し、引用発明３は「Ａ液」と「Ｂ液」を混合して「溶媒混合液」を調製するものであるという点。
　【相違点３】
　「第１の液体と第２の液体を混合して混合液を調製する」箇所に関し、本願発明は「Ｔジョイント」が当該箇所であるのに対し、引用発明３では「Ａ液送液路」と「Ｂ液送液路」が合流する箇所（合流箇所）が当該箇所であるという点。
イ　判断
　上記相違点について検討する。
（ア）相違点２について
　複数の溶液を混合して緩衝液を得て、これを液体クロマトグラフィにおける溶媒として用いることは、上記「３」（２）「イ」にて述べたように、本願の優先権主張の日前に周知の事項である。
　そうすると、引用発明３において、２種の異なる溶媒を混合して溶媒混合液を調製するにあたり、複数の溶液を混合して緩衝液を調製するようにすることは、分析対象の試料やカラムの材質に応じて、当業者が容易に想到しうることである。
（イ）相違点３について
　引用文献１には、液体クロマトグラフシステムにおいて２種の液体を合流させるために、本願発明の「Ｔジョイント」に相当する部材である「“Ｔ”流路コネクタ継手32」を用いる点が記載されている。
　そうすると、引用発明３における「Ａ液送液路」と「Ｂ液送液路」が合流する箇所は、両「送液路」が“Ｔ”字に交わっていることが第２図から見てとれるところ、該合流箇所において「“Ｔ”流路コネクタ継手32」を用いることは、「Ａ液」と「Ｂ液」の合流をスムーズに行うために当業者が容易に想到しうることである。
（ウ）そして、これらの相違点２及び３を総合的に勘案しても、本願発明の奏する作用効果は、引用発明３、引用発明１、及び本願の優先権主張の日前に周知の事項の奏する作用効果から予測される範囲内のものにすぎず、格別顕著なものということはできない。
　
（エ）したがって、本願発明は、引用発明３、引用発明１、及び本願の優先権主張の日前に周知の事項に基づいて、当業者が容易に発明をすることができたものである。
第４　補正案について
　なお、請求人は令和２年１０月１３日付けの上申書において、特許請求の範囲の補正案を提示している。当該補正案に記載の特許請求の範囲のうち、請求項１に係る発明（以下、「本願補正案発明」という。）は以下に記載されるとおりのものである（下線は、拒絶査定時の特許請求の範囲からの補正箇所を示し、当審にて付したものである。）。
「　［請求項１］
　液体のインラインブレンドを実行するためのシステム（１００、２００）であって、
　少なくとも１つの第１の溶液と第２の溶液とを混合することによって緩衝液を調製するＴジョイント（１０２）であって、前記Ｔジョイント
（１０２）
り、少なくとも１つの直接接続管を用いて、前記溶液供給ユニット（１０８）に接続され、逆止弁を介して前記第１の溶液を供給するためのさらなる溶液供給ユニット（１０４、２０４）に接続される
　前記少なくとも１つの第１の溶液を前記Ｔジョイントに供給するための少なくとも１つの低圧ポンプ（１０６、２０８、２１０、２１２）と、
　前記緩衝液を集め、クロマトグラフィ装置にもたらすための高圧ポンプ（１１０）と
　を備え、
　前記Ｔジョイントは、前記第１の溶液と前記第２の溶液とを混合するための構成を備えることを特徴とする、システム。」
　念のため、上記本願補正案発明についても検討する。
　引用発明３を主たる引例として検討する。
１　対比　
（１）まず、上記「第３　本願発明について」「４　対比・判断」「（２）引用発明３を主たる引例とした場合について」「ア　対比」の（ア）〜（キ）に記載した事項は、本願補正案発明についてもあてはまる。
（２）引用発明３において、「Ａ液」の「容器」と「合流箇所」の間には「Ｂ液送液ポンプ」などのポンプが設けられておらず、また、ポンプ以外の構成が設けられる点も記載されていないから、「Ａ液」の「容器」と「合流箇所」の間は「直接接続管」を用いて接続されているといえる。
（３）以上のことから、本願補正案発明と引用発明３との一致点及び相違点は次のとおりである。
　【一致点】
「液体のインラインブレンドを実行するためのシステムであって、
　第１の液体と第２の液体とを混合することによって混合液を調製する合流箇所であって、前記合流箇所に接続された溶液供給ユニットから前記第２の液体を受け取り、少なくとも１つの直接接続管を用いて、前記溶液供給ユニットに接続される合流箇所と、
　前記第１の液体を前記合流箇所に供給するための少なくとも１つの低圧ポンプと、
　前記混合液を集め、クロマトグラフィ装置にもたらすための高圧ポンプと
　を備え、
　前記合流箇所は、前記第１の液体と前記第２の液体とを混合するための構成を備えるシステム。」
　【相違点２】
　「第１の液体と第２の液体とを混合することによって混合液を調製する」という点に関し、本願補正案発明は「第１の溶液と第２の溶液とを混合することによって緩衝液を調製する」のに対し、引用発明３は「Ａ液」と「Ｂ液」を混合して「溶媒混合液」を調製するものであるという点。
　【相違点３】
　「第１の液体と第２の液体を混合して混合液を調製する」箇所に関し、本願補正案発明は「Ｔジョイント」が当該箇所であるのに対し、引用発明３では「Ａ液送液路」と「Ｂ液送液路」が合流する箇所（合流箇所）が当該箇所であるという点。
　【相違点４】
　本願補正案発明では「Ｔジョイント」が「逆止弁を介して」「第１の溶液を供給するためのさらなる溶液供給ユニット」に「接続される」のに対し、引用発明３では「Ａ液送液路」と「Ｂ液送液路」が合流する箇所（合流箇所）は「Ｂ液送液ポンプ」を介して「Ｂ液」の「容器」に接続されており、逆止弁を有するという記載はない点。
２　判断
（１）相違点２，３については、「第３　本願発明について」「４　対比・判断」「（２）引用発明３を主たる引例とした場合について」「イ　判断」の（ア）〜（イ）に記載したとおりである。
（２）相違点４について、引用文献１には低圧ポンプが逆止弁を有する点が記載されている。そして、引用発明３において、低圧ポンプである「Ｂ液送液ポンプ」が逆止弁を有するように構成することは、液体の逆流を防ぐために当業者が容易に想到しうることである。
（３）よって、本願補正案発明は、引用発明３、引用発明１、及び本願の優先権主張の日前に周知の事項に基づいて、当業者が容易に発明をすることができたものである。
第５　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。